(57)【要約】【課題】安全かつ手軽に暖炉を楽しむことができる温水式暖炉を提供する。【解決手段】室外に配設され、不凍液などの循環液を所定の温度に加熱する熱源機１１と、室内に配設され、熱源機１１により加熱された循環液の熱を放熱する熱交換器１２と、熱源機１１と熱交換器１２との間で循環液を循環させる連結管１３とを備える。熱交換器１２の周りは外枠１７で覆い、外枠１７の前側には画像表示装置１８を配設する。画像表示装置１８には、炎の映像を表示する。【選択図】図１
0003168855.tif 000002
【実用新案登録請求の範囲】
【請求項１】
室外に配設され、循環液を所定の温度に加熱する熱源機と、
室内に配設され、前記熱源機により加熱された循環液の熱を放熱する熱交換器と、
前記熱源機と前記熱交換器との間で循環液を循環させる連結管と、
前記熱交換器を覆う外枠と、
前記外枠に設けられ、炎の映像を表示可能な画像表示装置と
を備えたことを特徴とする温水式暖炉。
【考案の詳細な説明】
【技術分野】
【０００１】
本考案は、加熱循環液を利用した温水式暖炉に関する。
【背景技術】
【０００２】
従来、暖炉は薪を燃やし、炎の色、揺らぎ、音等を楽しみながら、暖をとるものであったが、近年では、特に都会においては薪の暖炉を設置することは煤煙の公害、灰の始末、薪の購入、面倒な取り扱い等、さらにはマンション、高気密住宅といった、住宅環境の中では、薪暖炉を設置することはほとんど不可能な状態となっている。そこで、都市型暖炉としては近年、ガス暖炉が用いられる場合がある（例えば、特許文献１参照）。
【先行技術文献】
【特許文献】
【０００３】
【特許文献１】特開２００１−３０４５５８号公報
【考案の概要】
【考案が解決しようとする課題】
【０００４】
しかしながら、ガス暖炉は室内でガスを燃焼させるので、安全性に配慮しなければならず、また、設備が大変であるという問題があった。
【０００５】
本考案は、このような問題に基づきなされたものであり、安全かつ手軽に暖炉を楽しむことができる温水式暖炉を提供することを目的とする。
【課題を解決するための手段】
【０００６】
本考案の温水式暖炉は、室外に配設され、循環液を所定の温度に加熱する熱源機と、室内に配設され、熱源機により加熱された循環液の熱を放熱する熱交換器と、熱源機と熱交換器との間で循環液を循環させる連結管と、熱交換器を覆う外枠と、外枠の正面に設けられ、炎の映像を表示可能な画像表示装置とを備えたものである。
【考案の効果】
【０００７】
本考案の温水式暖炉によれば、熱源機により加熱した循環液を熱交換器に循環させて放熱すると共に、熱交換器を外枠で覆い、外枠の正面に設けた画像表示装置で炎の映像を表示することができるようにしたので、薪やガスを燃焼させることなく、安全かつ手軽に暖炉を楽しむことができる。
【図面の簡単な説明】
【０００８】
【図１】本発明の一実施の形態に係る温水式暖炉の構成を表す部分断面図である。
【図２】図１に示した温水式暖炉の構成を表す正面図である。
【考案を実施するための形態】
【０００９】
以下、本考案の実施の形態について、図面を参照して詳細に説明する。
【００１０】
図１及び図２は、本考案の一実施の形態に係る温水式暖炉の構成を表すものである。この温水式暖炉１０は、室外に配設され、循環液を所定の温度に加熱する熱源機１１と、室内に配設され、熱源機１１により加熱された循環液の熱を放熱する熱交換器１２と、熱源機１１と熱交換器１２との間で循環液を循環させる連結管１３とを備えている。熱源機１１において循環液を加熱する方法は、電気、ガス、灯油、太陽熱等どのようなものでもよい。循環液としては、例えば、不凍液が挙げられる。熱交換器１２には、例えば、シロッコファンなどのファン１４が設けられている。
【００１１】
連結管１３は、例えば、ポリエチレン製のものを用い、熱源機１１と接続する室外連結管１３Ａと、熱交換器１２と接続する室内連結管１３Ｂとを有している。室外連結管１３Ａは、例えば、一端部を熱源機１１の配管に差し込み、バンドなどで止めることにより連結し、他端部を壁２０に取り付けた温水コンセント１５に差し込み、バンドなどで止めることにより連結する。室内連結管１３Ｂは、例えば、一端部を熱交換器１２の配管に差し込み、バンドなどで止めることにより連結し、他端部を壁２０に取り付けた温水コンセント１５に差し込み、バンドなどで止めることにより連結する。温水コンセント１５は、オス、メス一対型で着脱が容易なものが好ましい。また、連結管１３には、例えば、循環液を循環させる循環ポンプ１６が配設されている。循環ポンプ１６は、例えば、室外に配置される。
【００１２】
この温水式暖炉１０は、また、熱交換器１２を覆う外枠１７と、外枠１７に設けられ、炎の映像を表示可能な画像表示装置１８とを備えている。外枠１７は、例えば、熱交換器１２の上側、脇側、前側、及び、必要に応じて後側を覆い、乾燥した木材又は大理石などの石材により構成される。外枠１７は、例えば、高級感のあるデザインとすることが好ましい。外枠１７の重量は、加重補強対策が必要ない程度とすることが好ましい。外枠１７の前側には、例えば、上部に室内の空気を吸い込む吸気口１７Ａが設けられ、下部に熱交換器１２により暖められた空気を室内に吹き出す吹出口１７Ｂが設けられている。吸気口１７Ａ及び吹出口１７Ｂには、それぞれ、吸込方向又は吹出方向を調節するための羽１７Ｃ，１７Ｄが設けられている。外枠１７の前側上部には、また、リモコンの設定を受信する受センサー１９が配設されており、リモコンの設定を熱源機１１に伝えるようになっている。
【００１３】
画像表示装置１８は、例えば、外枠１７の中央部に配設されている。画像表示装置１８は、例えば、暖炉として使用する時には炎の映像を表示し、暖炉とし使用しない時には他の映像を表示できるように構成してもよい。また、表示する映像を複数用意し、希望に応じて映像を選択したり、利用者が用意した映像を表示することができるようにしてもよい。更に、外枠１７にスピーカーを配設し、画像表示装置１８により表示する映像と連動して、薪が燃える音を流すことができるようにしてもよい。
【００１４】
この温水式暖炉１０では、リモコンのスイッチをＯＮにすると、受センサー１９でリモコンの信号を感知し、熱源機１１、ファン１４、循環ポンプ１６及び画像表示装置１８に信号を伝えて作動させる。これにより、熱源機１１で加熱された循環液が連結管１３を介して熱交換器１２に移動し、熱交換器１２により暖められた空気がファン１４により吹出口１７Ｂから室内に吹き出され、室内を暖める。熱交換器１２において冷却された循環液は、連結管１３を介して熱源機１１に戻り、再び加熱される。また、画像表示装置１８では、炎の映像が表示される。
【００１５】
このように本実施の形態の温水式暖炉１０によれば、熱源機１１により加熱した循環液を熱交換器１２に循環させて放熱すると共に、熱交換器１２を外枠１７で覆い、外枠１７の正面に設けた画像表示装置１８で炎の映像を表示することができるようにしたので、薪やガスを燃焼させることなく、安全かつ手軽に暖炉を楽しむことができる。
【００１６】
以上、実施の形態を挙げて本考案を説明したが、本考案は上記実施の形態に限定されるものではなく、種々変形可能である。
【産業上の利用可能性】
【００１７】
暖房器具に用いることができる。
【符号の説明】
【００１８】
１０…温水式暖炉、１１…熱源機、１２…熱交換器、１３…連結管、１３Ａ…室外連結管、１３Ｂ…室内連結管、１４…ファン、１５…温水コンセント、１６…循環ポンプ、１７…外枠、１７Ａ…吸気口、１７Ｂ…吹出口、１７Ｃ，１７Ｄ…羽、１８…画像表示装置、１９…受センサー
【図１】
0003168855.tif 000003
【図２】
0003168855.tif 000004